(57)【要約】【課題】卓上スタンドとして飾っておくことができるカタログファイルと、カタログギフト申込み用はがきを一体として収納できるようにしたカタログファイル用収納ケースを提供することを目的とするものである。【解決手段】表紙と裏表紙、その間に挟み込んだカタログ収納台紙とをリング状のバインダで綴じ込み、前記カタログ収納台紙の表面及び背面には透明な保護膜片を貼り合せ、その側部を開放してカタログを挿入可能とするとともに、前記裏表紙を二つ折りとし、かつその底部に山折り部を設けて折畳み可能とした上、山折り部を伸ばして裏表紙を三角形とすることにより、自立してカタログファイルをスタンド型で利用できるようにしたことを特徴とするカタログファイル。【選択図】    図１
2006272697.tif 000002
【特許請求の範囲】
【請求項１】
表紙と裏表紙、その間に挟み込んだカタログ収納台紙とをリング状のバインダで綴じ込み、前記カタログ収納台紙の表面及び背面には透明な保護膜片を貼り合せ、その側部を開放してカタログを挿入可能とするとともに、前記裏表紙を二つ折りとし、かつその底部に山折り部を設けて折畳み可能とした上、山折り部を伸ばして裏表紙を三角形とすることにより、自立してカタログファイルをスタンド型で利用できるようにしたことを特徴とするカタログファイル。
【請求項２】
側部に設けた開口部からカタログファイルを出し入れすることができるボックス型収納ケースであり、その一面の側端からカタログギフト申込み用はがきの収納片を開閉可能に延長したことを特徴とするカタログファイル用収納ケース。
【発明の詳細な説明】
【技術分野】
【０００１】
この発明はスタンド型カタログファイルに関し、折畳んだ際にはコンパクトで搬送に便宜であり、また展開して卓上スタンドとして使用でき、またカタログファイルを収納するカタログファイル用収納ケースにカタログギフト申込み用はがきの収納片を付設したカタログファイルおよびカタログファイル用収納ケースを提供しようとするものである。
【背景技術】
【０００２】
近年、結婚祝いのお返し等のギフトとして、ギフトを贈る贈与人が商品を選ぶのではなく、ギフトを贈られる受取人がカタログに掲載された複数の商品の中から所望の商品を選ぶ、いわゆるカタログギフトが盛んに用いられるようになってきている。
【０００３】
このカタログギフトの仕組みにおいて、ギフト代行店は、複数の商品及びこれらのギフトに対応する商品番号が記載されたカタログを各予算や目的等に応じて複数用意している。また、このカタログには、商品番号を記載してギフト代行店に申し込む申し込み用はがきが添付されている。
【０００４】
贈与人は、予算や目的に応じたカタログを選択するだけでよく、受取人には、前記選択されたカタログが配布される。受取人は、この配布されたカタログに掲載されている複数の商品の中から所望の商品を選択し、選択した商品に対応する商品番号を添付されている申し込み用はがきに記載して、このはがきをギフト代行店に郵送する。ギフト代行店が申し込み用はがきを受領すると、受取人が選択したギフトをこの受取人に送付する。これにより、受取人には、所望の商品が贈られることとなる。
【０００５】
上述のようなカタログギフトで使用されるカタログとしては、従来、複数の商品及びこれらのギフトに対応する商品番号が記載された小冊子（例えば中綴じ本）からなるカタログや、複数の商品及びこれらのギフトに対応する商品番号がそれぞれ記載されたカタログカードを箱に収容してなるカタログ等が知られている。
【０００６】
しかしながら、カタログギフトで使用される従来のカタログは、受取人が商品を選択した時点で不要となり破棄されてしまうのが普通である。したがって、受取人は、商品を受け取って期間が経過すると、その商品は誰から贈られた商品か、つまり、誰の結婚式に出席して贈られた物かを忘れてしまうことが多い。
【０００７】
そこで、商品及びこの商品に対応する商品番号がそれぞれ掲載されてなる複数のカタログカードを、表紙に綴じられた複数の透明袋体内に収容しておき、複数の商品の中から所望の商品を選択する際は、表紙に綴じられた透明袋体をめくることでカタログカードを容易に閲覧することができ、しかも、商品を選択した後には、透明袋体から各カタログカードを取り出し、この透明袋体に、所望の写真、はがき、年賀状、名刺、カード、或いは、新聞・雑誌の切り抜きスクラップ等を収容させることで通常のアルバム或いはスクラップブックとして使用することができるカタログギフト式アルバムが提案されている（登録実用新案第３０９８２９６号公報、特許文献１参照）。
【特許文献１】登録実用新案第３０９８２９６号公報
【発明の開示】
【発明が解決しようとする課題】
【０００８】
しかしながら、上記カタログギフト式アルバムにおいてはブック形式であるため、卓上スタンドとして飾っておくことはできなかった。
またカタログファイル用収納ケースとして、カタログギフト申込み用はがきを一体として収納できるようにしたものは存在しなかった。
そこでこの発明は、卓上スタンドとして飾っておくことができるカタログファイルと、カタログギフト申込み用はがきを一体として収納できるようにしたカタログファイル用収納ケースを提供することを目的とするものである。
【課題を解決するための手段】
【０００９】
すなわちこの発明のカタログファイルは、表紙と裏表紙、その間に挟み込んだカタログ収納台紙とをリング状のバインダで綴じ込み、前記カタログ収納台紙の表面及び背面には透明な保護膜片を貼り合せ、その側部を開放してカタログを挿入可能とするとともに、前記裏表紙を二つ折りとし、かつその底部に山折り部を設けて折畳み可能とした上、山折り部を伸ばして裏表紙を三角形とすることにより、自立してカタログファイルをスタンド型で利用できるようにしたことを特徴とするものである。
【００１０】
またこの発明のカタログファイル用収納ケースは、側部に設けた開口部からカタログファイルを出し入れすることができるボックス型収納ケースであり、その一面の側端からカタログギフト申込み用はがきの収納片を開閉可能に延長したことを特徴とするものである。
【発明の効果】
【００１１】
この発明はカタログ収納台紙をリング状のバインダで綴じ込んでめくることができるカタログファイルとして使用でき、また裏表紙の山折り部を伸ばして裏表紙を三角形とすることにより、自立してカタログファイルをめくることができるスタンド型として使用することができるカタログファイルとして有効に利用することができる。
さらに、カタログファイルを収納する収納ケースとして、カタログギフト申込み用はがきを一体として収納できる収納片を設けたので、カタログギフト申込み用はがきを紛失したり、入れ忘れたりするという心配がなくなった。
【発明を実施するための最良の形態】
【００１２】
以下、この発明のカタログファイルおよびカタログファイル用収納ケースの実施の形態を、図面に基いて詳細に説明する
図１はこの発明のカタログファイルの１実施例を表紙側から見た説明図、図２はその平面図、図３は表紙を開いた状態の説明図、図４はカタログ収納台紙の説明図、図５はその断面図、図６はこの発明のカタログファイルをスタンド型で使用した場合の断面図、図７はカタログファイル用収納ケースの１実施例を示す展開図、図８はその組立て方を示す説明図である。
【００１３】
この発明のカタログファイルを説明する図１ないし図６において、カタログファイル１１は表紙１２と裏表紙１３、その間に挟み込んだカタログ収納台紙１４とをリング状のバインダ１５で綴じ込んだものである。
このリング状のバインダ１５は、プラスチックコーティングを施したワイヤ等を多数のコイル状となるように成形したもので、単純ならせん状であっても、またワイヤの途中に二つ折り部分を所定の間隔で作り、その二つ折り部分をリング状に成形したもの等とすることができる。
【００１４】
上記表紙１２及び裏表紙１３はそれぞれ厚手の素材で構成されており、特に裏表紙１３は二つ折りとした上、底部に山折り部１６を設けて折畳み可能としている。
以上のように、裏表紙１３は二つ折りとした上、底部に山折り部１６を設けて折畳み可能としているので、図６に示すように、この山折り部１６を伸ばして裏表紙１３をほぼ二等辺三角形とすることにより、カタログファイル１１を自立したスタンド型として利用することができるようになっている。
【００１５】
前記カタログ収納台紙１４の表面及び背面には、プラスチックフィルム等で作成した透明な保護膜片１７を貼り合せ、その側部を開放してカタログ２１を挿入可能としている。もちろん、カタログ収納台紙１４の表面及び背面への透明な保護膜片１７の取付構造としては、透明な保護膜片１７を袋状とし、その内部にカタログ収納台紙１４を挿入する構造としても良い。
このように構成したカタログ収納台紙１４を複数葉、表紙１２および裏表紙１３の間に綴じ込み、リング状のバインダ１５で自由にめくることができるようにしている。その際、カタログ収納台紙１４の表面及び背面への透明な保護膜片１７が取り付けてあるので、図５のようにカタログ収納台紙１４の表面及び背面へカタログ２１を挿入することができて非常に効率が良い。
【００１６】
この発明のカタログファイル用収納ケースを説明する図７および図８において、ボックス型収納ケース３１は、図７の展開図のように断裁した用紙３２で構成されている。
上記用紙３２は、ボックス型収納ケース３１を構成する前面部３３および背面部３４と、その間に配置した側面部３５，３６とからなり、図８に示すように、前面部３３の側端に設けたのり代３７を側面部３６と貼り合せて長方形断面の筒状とする。３８，３９は筒状の開口部分の蓋体、４０，４１は開口部分への挿入片である。また、４２，４３はそれぞれ側面部３５，３６の封鎖片である。
したがって、筒状の開口部分の蓋体３８，３９のいずれかを開口させ、その開口部からカタログファイル１１を出し入れすることができるようになっている。
【００１７】
図７に示すように、上記用紙３２の側面部３６にはさらに、窓４５を形成したはがき収納片４４を一対、二つ折りできるように延長してあり、図８のようにその底部４６および側部４７を貼り合せて、開口した側端部からカタログギフト申込み用はがき５１を収納することができるようになっている。図７の点線はいずれも折り目線４８を示している。
以上の窓４５を形成したはがき収納片４４は、常態ではボックス型収納ケース３１を構成する前面部３３の上に重ね合わせておくことができ、また必要に応じて前面部３３の上から開き、内側の面のカタログギフト申込み用はがき５１や説明書等を読んだり、引き出したりすることができる。
【産業上の利用可能性】
【００１８】
この発明によって、卓上スタンドとして飾っておくことができるカタログファイルと、カタログギフト申込み用はがきを一体として収納できるようにしたカタログファイル用収納ケースを提供することができるので、同様の用途であれば、カタログファイルおよびカタログファイル用収納ケースとしての用途に限定されるものではない。
【図面の簡単な説明】
【００１９】
【図１】この発明のカタログファイルの１実施例を表紙側から見た説明図である。
【図２】その平面図である。
【図３】表紙を開いた状態の説明図である。
【図４】カタログ収納台紙の説明図である。
【図５】その断面図である。
【図６】この発明のカタログファイルをスタンド型で使用した場合の断面図である。
【図７】カタログファイル用収納ケースの１実施例を示す展開図である。
【図８】その組立て方を示す説明図である。
【符号の説明】
【００２０】
１１  カタログファイル
１２  表紙
１３  裏表紙
１４  カタログ収納台紙
１５  バインダ
１６  山折り部
１７  保護膜片
２１  カタログ
３１  ボックス型収納ケース
３２  用紙
３３  前面部
３４  背面部
３５，３６  側面部
３７  のり代
３８，３９  蓋体
４０，４１  挿入片
４２，４３  封鎖片
４４  はがき収納片
４５  窓
４６  底部
４７  側部
４８  折り目線
５１  カタログギフト申込み用はがき
【図１】
2006272697.tif 000003
【図２】
2006272697.tif 000004
【図３】
2006272697.tif 000005
【図４】
2006272697.tif 000006
【図５】
2006272697.tif 000007
【図６】
2006272697.tif 000008
【図７】
2006272697.tif 000009
【図８】
2006272697.tif 000010